(57)【要約】【課題】  本発明は、動物の侵入時のみに電流を流す、また無線送受信機で土地所有者に進入を知らせる事や、爆撃音やストロボを制御することで動物の侵入を回避する動物用威嚇装置を提供することを目的とするものである。【解決手段】  本発明の動物用威嚇装置１は、動物が侵入し易いように防護柵２に開口部３を設け、この開口部３のゲートとして設置されるものであり、開口部３内に張り巡らされる電線４と大地アース兼用のされたゲート枠体５、高圧電流発生部６、制御部７、送受信機８およびスイッチ９とから構成される。【選択図】      図１
2006180762.tif 000002
【特許請求の範囲】
【請求項１】
防護柵に設けられる開口部に、ゲートの足をアースとするゲートを設け、
前記ゲートには動物の進入を阻む間隔で電線が張設され、
前記電線に触れることで動物の進入を感知するスイッチと、
前記スイッチにより前記電線に高圧電流を一定時間流す高圧電流発生部を備える
ことを特徴とする動物用威嚇装置。
【請求項２】
防護柵に設けられる開口部に、アース兼用のゲートを設け、
前記ゲートには動物の進入を阻む間隔で電線が張設され、
前記動物の進入を事前に感知するセンサースイッチと、
前記センサースイッチにより前記電線に高圧電流を一定時間流す高圧電流発生部を備える
ことを特徴とする動物用威嚇装置。
【請求項３】
前記スイッチまたはセンサースイッチにより動物の侵入情報信号の無線送信を行う送信機を備える
ことを特徴とする請求項１または２記載の動物用威嚇装置。
【請求項４】
前記防護柵に設けられる電気柵と、
前記電気柵に高圧電流を一定時間流す高圧電流供給部と、
前記高圧電流供給部に配置され、前記送信機から無線通信による動物の侵入情報信号を受信することにより前記高圧電流供給部を作動させる受信機を備える
ことを特徴とする請求項１、２または３記載の動物用威嚇装置。
【発明の詳細な説明】
【技術分野】
【０００１】
本発明は動物用威嚇装置に関する。詳しくは猪や狸あるいは鹿などの動物の畑への侵入をゲートや柵に電気を流すことにより阻止する動物用威嚇装置に係るものである。
【背景技術】
【０００２】
最近、猪や狸あるいは猿、鹿などの動物が畑に侵入して農作物を食べてしまい、多額の被害をもたらす例が急増しており、大きな社会問題となっている。現在では、このような畑を荒らす動物の畑への侵入を防ぐために、畑の周りに防護柵を張り巡らせたり電気柵で動物の侵入を防いでいる。
【０００３】
ところで、防護柵として例えば猿用として図８に示すものがある。この防護柵１０１は、地面１０２に立設される複数の杭１０３に電気線１０４を掛け渡し、かつ該電気線１０４の下方の各杭１０３間に防護ネット１０４を配することにより、防護ネット１０４を飛び越そうとしたり、よじ登って越そうとすると、防護ネット１０４の上方にある電気線１０５に触れて電気ショックが与えられる。又、電気線１０５は上方にあるので、雑草がかなり成長しても電気線１０５への接触を防ぐことができる（特許文献１参照。）。
【０００４】
【特許文献１】特開２００３−１５８９８６号公報（要約書。第１図）
【発明の開示】
【発明が解決しようとする課題】
【０００５】
しかしながら畑などの広い敷地を電気線で囲み、電気線に電流を流し続ける場合には、電池の消耗が激しくコスト高となる問題がある。また、人が誤って電気線に触れた場合には感電事故を起こす問題がある。
【０００６】
また、電流を流すことによって動物の侵入を防ぐ防護柵のほかに、爆音機による爆発音やストロボによる瞬時発光などの侵入防止方法があるが、これらは開始時期には相当の効果を得ることができるが、タイマー回路などによって一定間隔ごとに作動するために、日毎に学習能力の高い動物に周期を覚えられて効果が薄れる問題がある。
【０００７】
本発明は、以上の点に鑑みて創案されたものであって、動物の侵入時のみに電流を流し、又爆撃音やストロボを制御することで動物の侵入を回避する動物用威嚇装置を提供することを目的とするものである。
【課題を解決するための手段】
【０００８】
上記目的を達成するために、本発明に係る動物用威嚇装置は防護柵に設けられる開口部に、ゲートの足をアースとするゲートを設ける、前記ゲートには動物の進入を阻む間隔で電線が張設され、前記電線に触れることで動物の進入を感知するスイッチと、前記スイッチにより前記電線に高圧電流を一定時間流す高圧電流発生部を備える。
【０００９】
ここで、田畑に張られたトタンや網からなる防護柵に動物が侵入しやすいように開口部を設け、この開口部にゲートとして動物の侵入を阻む間隔で電線を張設し、動物の進入をスイッチにより感知して、このスイッチにより高圧電流発生部から電線に一定時間高圧電流を流すことによって動物の侵入を阻むことが可能となる。
【００１０】
また、上記の目的を達成するために、本発明に係る動物用威嚇装置は、防護柵に設けられる開口部に、アース兼用のゲートを設け、前記ゲートには動物の進入を阻む間隔で電線が張設され、前記動物の進入を事前に感知するセンサースイッチと、前記センサースイッチにより前記電線に高圧電流を一定時間流す高圧電流発生部を備える。
【００１１】
ここで、動物が防護柵に設けられる開口部に到達する前にセンサースイッチによって動物の進入を感知し、この進入情報信号により高圧電流発生部から電線に一定時間高圧電流を流すことによって動物の進入を阻むことが可能となる。
【００１２】
また、動物の侵入をスイッチやセンサースイッチによって感知し、この進入情報信号をスイッチやセンサースイッチに直結される送信機によって、爆音機および拡声器並びにストロボに設ける受信機に送信することで同時に爆音機および拡声器並びにストロボを起動させることが可能となる。
【００１３】
さらに、事業者の家に受信機を設けることで動物の侵入を察知することができ、素早い対応を取ることが可能となる。
【００１４】
また、前記防護柵に電気柵を設け、この電気柵に受信機を有する高圧電流発生部を設けることで、前記高圧電流発生部あるいは、感知センサースイッチから送信される動物の進入情報信号を受信して電線に一定時間高圧電流を流すことによって開口部以外の個所からの動物の進入を阻むことが可能となる。
【００１５】
本発明ではゲートをアースとしてゲート間に張設される電線と高圧電流発生部とから構成され、動物が侵入する際に電線に触れることや、進入路に設けた感知センサーによって動物の侵入を事前に感知して電線に一定時間高圧電流を流すことによって動物の侵入を阻止する。
【００１６】
また、前記高圧電流発生部とは、例えば入力電圧（DC12V）のバッテリーを用い、高圧出力（ピーク値約15000V）の高圧電流に変換し、一定時間電線に流すタイマー機能を有するマイコン回路が組み込まれている。これにより動物の侵入時のみ、高圧電流を流すことが可能となり、バッテリーの消費電力を最大限に抑えることができる。
【００１７】
なお、電気柵とは動物の体の電気を通しやすい部位が、プラス線と地面（またはマイナス線）の両方に同時に触れると感電が起こり、以後、怖がり避ける様になる心理効果を利用する。したがって、イノシシ・ニホンジカなど足が地面に常時着いている動物の場合、大地と電線に電気を流す。サルのようによじ登る動物の場合は、地上部にプラスとマイナスの電線を交互に配置する等、サルの感電部である顔、手のひら、足の裏がプラス線とマイナス線の両方に触れるように配慮する。
【発明の効果】
【００１８】
以上の構成よりなる本発明では、防護柵に設けたゲートから動物が侵入しようとしてゲートの電線に触れるが、その時は高圧部が動作していないために電気は流れていない。しかし電線をかき分けて進入しようとすれば、高圧部の作動スイッチが入り進入を阻止すると同時にマイコンが動き一定時間高圧電流が発生するとともに動物の進入情報信号の無線送信を行う。
【００１９】
また、高圧部が作動すると同時にマイコンが働き一定時間高圧電流を流し、無線送信を行い、防護柵に設けられる電気柵、爆音機や拡声器、ストロボなどの作動制御を行うことでゲートと同時に高圧電流や爆音機や拡声器、ストロボなどを作動させることが可能となる。
【００２０】
さらに、動物の進入時のみ高圧電流を電線に流す構成とすることにより、通常電柵機の電池償却は約最大２ヶ月最小で７日前後（ソーラー式と商用電源タイプは別）と思われるが、本発明のゲート構造に関しては進入して来て始めて動作するので電気の償却はわずかで済む。また、ゲートの足が本体取り付け枠と一体化されて大地アースとして働く。
【発明を実施するための最良の形態】
【００２１】
以下、本発明の実施の形態を図面を参酌しながら説明し、本発明の理解に供する。
図１は、本発明を適用した動物用威嚇装置の一例を示す説明図である。
【００２２】
ここで示す動物用威嚇装置１は、動物が侵入し易いように防護柵２に開口部３を設け、この開口部３のゲートとして設置されるものであり、開口部３内に張り巡らされる電線４と大地アースされたゲート枠体５、高圧電流発生部６、マイコン制御部７、送受信機８および高圧電流発生部に繋がれるスイッチ９とから構成される。
【００２３】
そこで前記電線４は、前記開口部３内を狸やイタチなどの小動物が侵入した場合でも接触してかき分けなければ進入することができない幅を持って張り巡らせるものであり、開口部３周縁に配置される支持ローラ部１０によって張設するものである。
【００２４】
前記支持ローラ部１０は、図２に示すように電線が係留できる溝１１を有するローラ１２とこのローラ１２が回転自在に枢着される支持部１３から構成される。したがって電線４は規制されることなく張設されることにより動物の侵入時による電線４の接触の際には電線４全体が移動することになる。
【００２５】
そして前記電線４の中途には高圧電流発生スイッチ９が設けられ、この高圧電流発生スイッチ９は高圧電流発生部６に接続され、電線４の移動によって高圧電流発生スイッチ９がＯＮの状態となり、前記高圧電流発生部６を作動させて前記電線４に高圧電流を流す機構とする。
【００２６】
続いて、前記高圧電流発生部６は大地アースされたゲート枠体５とゲート枠体５内に張設される電線４に接続され、さらにスイッチ９が接続されるとともに制御部７および送受信機８が設置される。
ここで、高圧電流発生部６が高圧電流発生スイッチ９のＯＮにより作動を開始した場合に制御部７が起動して高圧電流発生部６の作動を一定時間行うとともに、送受信機８によって動物の侵入情報信号の無線送信を行う。
【００２７】
また、図４に示すのは本発明の他の実施例を示す説明図であり、開口部３に対して支持ローラ部１０によって一定間隔ごとに鉛直方向に張り巡らせる構成とするものである。
【００２８】
そして前記防護柵２に動物の進入を例えば赤外線などのセンサーによって感知する感知センサースイッチ２０が設けられる。この感知センサースイッチ２０には送信機２１が取り付けられ、動物の進入情報信号の無線送信を行う。
【００２９】
そこで高圧電流発生部６に設置される送受信機８によって前記動物の進入情報信号が受信され、高圧電流発生部６が進入情報信号の受信によりＯＮの状態となり、制御部７が起動して高圧電流発生部６の作動を一定時間行う
【００３０】
また、人が出入りする開閉式の扉部２２をゲート横に形成する。この扉部２２は電線４が張設されるとともに扉部２２の柱体２３が大地アースされる。そして高圧電流発生部６は大地アースされた扉部２２と扉部２２に張設される電線４に接続され、さらにスイッチ９が接続されるとともに制御部７および送受信機８が設置される。
ここで通常の人の出入り時には扉に電源切断スイッチが有り電流が流れないが、動物の進入時には電気柵１４と同様に高圧電流が一定時間流れる構成とする。
【００３１】
次に図５に示すのはゲートの他の形態を示す説明図であり、開口部３の両側端に大地アースされた柱体２３が設けられ、この柱体２３間に蝶番２４によって開閉自在とした扉枠体２４が装着され、この扉枠体２４内にバネ部材２５によって架設される２本の電線支持部２６間に電線４が張設され、さらに電線４に触れることによって作動する感知センサースイッチ２０が設けられる。したがって動物が電線４に触れることによって感知センサースイッチ２０がＯＮの状態となり、高圧電流発生部６の作動を一定時間行う。また、人の出入り時にはメインスイッチをＯＦＦにした状態で出入りを行う。
【００３２】
前記送信機８によって送信される侵入情報信号は、図６に示すように防護柵として設けられる電気柵１４に設置される高圧電流供給部１５に設けられる受信機１６や図４（イ）（ロ）（ハ）に示す爆音機１７および拡声器１８並びにストロボ１９に設ける受信機１６によって受信され、電気柵１４に一定時間高圧電流を流す、あるいは爆音機１７および拡声器１８並びにストロボ１９を一定時間起動させる構成とするものである。
【００３３】
なお、止まり木に送信機を設け、鳥が止まったことを検知した情報信号を送信して、図４に示す爆音機１７および拡声器１８並びにストロボ１９を一定時間起動させる構成とするものである。
【００３４】
以上の構成よりなる本発明では、図７に示すように田畑Ａを防護柵２によって囲み、動物が入り易いように開口部３を設ける。そして開口部３内に動物用威嚇装置１が設置され、防護柵２の中途高さまで電気柵１４が全長に渡って設けられる。さらに、前記開口部３の奥には遮蔽板２７を設ける。この遮蔽板２７は、イノシシは、障害物が前方にあると引き返す習性を利用して設置することで田畑Ａ内への突入を阻止し、動物用威嚇装置１および電気柵１４によって他の個所からの進入を阻止する。
【００３５】
また、防護柵２の適宜個所には爆音機１７および拡声器１８並びにストロボ１９が配置されている。そこでイノシシなどの動物が防護柵２の開口部３より田畑Ａ内に侵入しようとする場合、開口部３内に張設した電線４を掻き分けて進入しようとする場合にスイッチ９、あるいは感知センサースイッチ２０によって動物の進入を感知し、高圧電流発生部６の制御部７が起動して高圧電流を電線４に一定時間流すとともに、送受信機８によって動物の侵入情報信号の無線送信を行い更に管理者へ田畑への進入を知らせる事が出来る。
【００３６】
いっぽう、電気柵１４、爆音機１７および拡声器１８並びにストロボ１９に設けられる受信機１６によって、前記送受信機８によって送信される侵入情報信号を受信し、制御部（図示せず。）によって高圧電流を電気柵１４に一定時間流すとともに、爆音機１７および拡声器１８並びにストロボ１９の起動を一定時間行う構成とするものである。
【００３７】
これにより通常の爆音機等は学習能力の高い獣などに周期を覚えられ効果が薄れるが田畑に侵入しようとする際だけに動作し、進入時だけ高圧電流と爆音機動作等を行い、学習能力を低下させ効果を維持することができ、かつ電池の消耗も抑えることができる。
【００３８】
また、通常の電気柵にスイッチ・感知センサースイッチや送信機を取り付け野生動物の侵入に合せ電気を流すことができる。さらに、高圧発生部と送信機を組み合わせることにより他の機器を制御できる。
【００３９】
また、センサー部と送信機を組み合わせ接近を感知し信号を送信、受信機を内蔵した高圧発生部をコントロールすることができる。
【図面の簡単な説明】
【００４０】
【図１】本発明を適用した動物用威嚇装置の一例を示す説明図である。
【図２】本発明を適用した動物用威嚇装置の支持ローラ部の拡大説明図である。
【図３】本発明を適用した動物用威嚇装置における防護柵に設けられる電気柵の説明図である。
【図４】本発明を適用した動物用威嚇装置の他の実施例を示す説明図である。
【図５】本発明を適用した動物用威嚇装置のゲートの他の実施例を示す説明図である。
【図６】本発明を適用した動物用威嚇装置における付帯装置の一例を示す説明図である。
【図７】本発明を適用した動物用威嚇装置の使用形態の一例を示す説明図である。
【図８】従来の動物用威嚇装置の一例を示す説明図である。
【符号の説明】
【００４１】
１      動物用威嚇装置
２      防護柵
３      開口部
４      電線
５      ゲート枠体
６      高圧電流発生部
７      制御部
８      送受信機
９      スイッチ
１０    支持ローラ部
１１    溝
１２    ローラ
１３    支持部
１４    電気柵
１５    高圧電流供給部
１６    受信部
１７    爆音機
１８    拡声器
１９    ストロボ
２０    感知センサースイッチ
２１    送信機
２２    扉部
２３    柱体
２４    蝶番
２５    バネ部材
２６    電線支持部
２７    遮蔽板
【図１】
2006180762.tif 000003
【図２】
2006180762.tif 000004
【図３】
2006180762.tif 000005
【図４】
2006180762.tif 000006
【図５】
2006180762.tif 000007
【図６】
2006180762.tif 000008
【図７】
2006180762.tif 000009
【図８】
2006180762.tif 000010